(57)【要約】【課題】ポリ容器などの容器に、ガソリンなどの液体を入れて、ガソリンランタンなどの他の器へ給液する際に、液体をこぼざずに済むための容器、および該容器に用いるキャップを提供する。【解決手段】ガソリン１などの液体を入れて、他の器へ給液するための容器３を密閉するキャップ５に２本のパイプを設ける。１本は、このキャップ５に連通して設けられ、先端はキャップ５よりも突出し、基端は、キャップ５の位置か、あるいは非常に短い給液パイプ７である。もう１本は、このキャップ５に貫通して設けられ、先端は前記給液パイプ７と略同じ位置で、基端は前記容器３の底部１１に近接する吸気パイプ９である。【選択図】図1
2007091250.tif 000002
【特許請求の範囲】
【請求項１】
液体を入れて他の器へ給液するための容器と、この容器を密閉するキャップと、このキャップに連通して設けられ、先端はキャップよりも突出した給液パイプと、このキャップに貫通して設けられ、先端は前記給液パイプと略同じ位置で、基端は前記容器の底部に近接する吸気パイプと、を有することを特徴とする過給液防止用容器。
【請求項２】
液体を入れて他の器へ給液するための容器を密閉するキャップであって、このキャップに連通して設けられ、先端はキャップよりも突出した給液パイプと、このキャップに貫通して設けられ、先端は前記給液パイプと略同じ位置で、基端は前記容器の底部に近接するに十分な長さを有する吸気パイプと、を有することを特徴とする過給液防止用給液キャップ。
【発明の詳細な説明】
【技術分野】
【０００１】
この発明は、液体を入れて他の器へ給液するための容器、および該容器に用いるキャップの構造に関する。
【背景技術】
【０００２】
例えば、キャンプ場などで、ガソリンランタンに燃料のガソリンを供給する場合には、以下のような手順で行う。
まず、ガソリンの入った大きなポリタンクから、手動ポンプで、片手で持ち運びできる程度の容器へ、ガソリンを入れる。この容器には、容器を密閉するためのキャップが備えられる。ガソリンで満たされた容器を運び、多数のガソリンランタンに、ガソリンを供給する。
【０００３】
ガソリンランタンは、例えば、上部に空気を通すための開口を形成し、燃焼部近くは透明なガラスでできたカバーを有し、燃焼部の下部には、ガソリンを溜める器状の部分が存在する。
この器状の部分に、ガソリンを供給するには、ガソリンで満たされた容器のキャップを外し、容器を傾けてガソリンを注ぐ。
【発明の開示】
【発明が解決しようとする課題】
【０００４】
しかしながら、ガソリンランタンの器状の部分は、小さく、容器からガソリンを注ぎにくく、ガソリンをこぼしてしまうことが多かった。注ぎやすくするためには、例えば、容器のキャップに、突出した給液パイプを設けれることが考えられる。そうすれば、ガソリンランタンの器状の部分に、給液パイプの口を挿入することで、ガソリンがこぼれ難くなる。
【０００５】
しかし、ガソリンランタンへ燃料のガソリンを供給することは、夕方や夜の暗い環境で行われることが多く、ガソリンランタンの器状の部分がガソリンで満たされたことが確認しにくく、供給を続け、ガソリンがあふれて、こぼれてしまう問題があった。
ガソリンは引火性が強く、こぼれると危険なので、できるだけこぼれないことが望ましい。
【０００６】
以上のことは、ガソリンランタンを例に説明したが、ガソリンだけでなく、白灯油やアルコールなどその他の液体の燃料を、小さな器に所定量を供給しなければならないときには、同様の問題が生じる。
また、液体の燃料に限らず、小さな器に所定量の液体をこぼさずに供給しなければならないときには、同様の問題が生じる。
【０００７】
この発明は、以上の問題点を解決するために、容器に液体を入れて他の器へ給液する際に、液体をこぼざずに済むための容器、および該容器に用いるキャップを提供することを提供することを目的とする。
【課題を解決するための手段】
【０００８】
以上の課題を解決するために、第一発明は、液体を入れて他の器へ給液するための容器と、この容器を密閉するキャップと、このキャップに連通して設けられ、先端はキャップよりも突出した給液パイプと、このキャップに貫通して設けられ、先端は前記給液パイプと略同じ位置で、基端は前記容器の底部に近接する吸気パイプと、を有することを特徴とする過給液防止用容器である。
【０００９】
第二発明は、液体を入れて他の器へ給液するための容器を密閉するキャップであって、このキャップに連通して設けられ、先端はキャップよりも突出した給液パイプと、このキャップに貫通して設けられ、先端は前記給液パイプと略同じ位置で、基端は前記容器の底部に近接するに十分な長さを有する吸気パイプと、を有することを特徴とする過給液防止用給液キャップである。
【発明の効果】
【００１０】
第一、又は第二発明によれば、給液パイプと吸気パイプとを器の中に位置させて液体を供給し、器に満たされた液体の液面が上昇して吸気パイプの先端に達すると、この先端から吸気され容器の中へ送られていた空気が遮断されるので、大気圧の力によって液体は、容器の中にとどまり、供給が自動的に停止される。
【００１１】
第二発明の過給液防止用給液キャップによれば、このキャップのサイズが合う容器を自由に選択することで、いろいろの容積の過給液防止用容器を安価に得ることができる。
【発明を実施するための最良の形態】
【００１２】
この発明の実施形態を、図１〜図３に示す。
液体としてのガソリン１を入れて他の器へ給液するための容器３として、片手で運べる大きさのポリ容器を用いる。この容器３を密閉するキャップ５に、２本のパイプ    を設ける。このうち１本は、給液パイプ７で、このキャップ５に連通して設けられ、先端はキャップ５よりも十分に突出し、基端はキャップ５の位置で終わる。
【００１３】
他の１本は、吸気パイプ９で、このキャップ５に貫通して設けられ、先端は給液パイプ７と完全に同じ位置で、基端は前記容器３の底部１１に近接する長さを有する。
キャップ５だけで単独に市場へ供給されるときなどは、これらのパイプは、共に、カッターナイフなどでカットできる材質にする。また、先端側および基端側ともに十分な長さとする。そして、カットすることで、キャップのサイズが合いさえすれば、容積、すなわちサイズの異なる他のポリ容器を自由に使用できる。
【００１４】
（使用方法）
容器３を傾けて、給液パイプ７と吸気パイプ９とを、例えばガソリンランタンの器状の部分１３の中に位置させて、ガソリン１を供給する。そして、ガソリンランタンの器状の部分１３に満たされたガソリン１の液面１５が、上昇して給液パイプ７および吸気パイプ９の先端に達すると、吸気パイプ９の先端から吸気され容器３の中へ送られていた空気が遮断される。すると、大気圧の力によってガソリン１は、給液パイプ７および容器３の中にとどまる。このようにして、ガソリン１の供給が自動的に停止される。
【００１５】
「実施形態の効果」
（１）この実施形態によれば、給液パイプ７と吸気パイプ９は十分に細く且つ長くできるので、ガソリンランタンの器状の部分１３が小さくても、給液パイプ７および吸気パイプ９の口を挿入することで、ガソリン１がこぼれ難くなる。
【００１６】
（２）また、夕方や夜の暗い環境で、ガソリンランタンの器状の部分１３がガソリン１で満たされたことが確認しにくくても、ガソリン１の供給が自動的に停止されるので、ガソリン１があふれて、こぼれてしまうことが避けられる。
（３）２本のパイプを、共に、カッターナイフなどでカットできる材質にし、先端側および基端側ともに十分な長さとすることで、同じキャップ５を、容積や上下方向のサイズが異なる容器３に対しても使用できる。すなわち、パイプを必要な長さにカットすることで、容積、すなわちサイズの異なる他のポリ容器を自由に使用できる。
【００１７】
「他の実施形態」
以上の実施形態では、吸気パイプ９の先端は給液パイプ７と完全に同じ位置であったが、他の実施形態では、図４に示すように、短くし、これにより吸気パイプ９の先端が、容器３を傾けた状態で、給液パイプ７の先端よりも所定寸法Ｌだけ上方に位置することができる。これにより、給液パイプ７の先端を器の底部１７に接触させた状態で、供給を行えば、所定寸法Ｌの分に液体の深さが達したときに、吸気パイプ９の先端が液面１５に浸かり、空気が遮断され、ガソリン１の供給が自動的に停止される。よって、所定寸法Ｌだけ液体を供給できる。このような使用は、吸気パイプ９の先端側をカットして行うことができる。
【００１８】
以上の実施形態では、吸気パイプ９の下に給液パイプ７を位置すること（図１参照）で給液パイプ７の先端は液面１５の下にある状態で、供給の自動的停止がなされたが、他の実施形態では、吸気パイプ９の上に給液パイプ７を位置することで給液パイプ７の先端は液面１５の上にある状態で、供給の自動的停止がなされることも可能である。給液パイプ７を十分に細いものにすることで、給液パイプ７の先端が液体に浸かっていなくても、大気圧は十分に働いて、液体供給の自動的停止が行われる。
【図面の簡単な説明】
【００１９】
【図１】この発明の一実施形態に係る過給液防止用容器を示す使用状態の縦断面図である。
【図２】図１の過給液防止用容器を立てた状態の縦断面図である。
【図３】図１のキャップのみを示す縦断面図である。
【図４】この発明の他の実施形態に係る過給液防止用容器の先端要部を示す縦断面図である。
【符号の説明】
【００２０】
１…ガソリン、３…容器、５…キャップ、７…給液パイプ、９…吸気パイプ、１１…底部、１３・・ガソリンランタンの器状の部分、１５・・液面、１７・・底部。
【図１】
2007091250.tif 000003
【図２】
2007091250.tif 000004
【図３】
2007091250.tif 000005
【図４】
2007091250.tif 000006